(57)【要約】【課題】不要波抑制の目的で回路の後段に設置されるフィルタ回路を小さく低コストで実現できる逓倍発振回路及びこれを使用した無線通信装置を提供する。【解決手段】基本周波数信号を発振する基本周波数発振回路４と、この基本周波数発振回路４の基本周波数信号を整数倍した逓倍周波数信号を出力する逓倍用能動素子６と、この逓倍用能動素子６の出力側に接続され逓倍用能動素子６の逓倍周波数信号から所望帯域の周波数信号を選択する逓倍用フィルタ回路３とを有する逓倍発振回路であって、逓倍用フィルタ回路３は、基本周波数信号の周波数にて直列共振する分布定数型の第１の直列共振素子３４と、基本周波数信号の周波数を整数倍した逓倍周波数にて並列共振する並列共振回路３５と、不要波の周波数にて直列共振する分布定数型の第２の直列共振素子３６とを含む。【選択図】図３
2005136836.tif 000002
【特許請求の範囲】
【請求項１】
基本周波数信号を発振する基本周波数発振回路と、該基本周波数発振回路の前記基本周波数信号を整数倍した逓倍周波数信号を出力する逓倍用能動素子と、該逓倍用能動素子の出力側に接続され該逓倍用能動素子の前記逓倍周波数信号から所望帯域の周波数信号を選択する逓倍用フィルタ回路とを有する逓倍発振回路であって、
前記逓倍用フィルタ回路は、前記基本周波数信号の周波数にて直列共振する分布定数型の第１の直列共振素子と、前記基本周波数信号の周波数を整数倍した逓倍周波数にて並列共振する並列共振回路と、不要波の周波数にて直列共振する分布定数型の第２の直列共振素子とを含むことを特徴とする逓倍発振回路。
【請求項２】
前記第１の直列共振素子は、前記逓倍用能動素子から延びる伝送線路に一端が接続され他端が開放され前記基本周波数信号の１／４波長の電気長を有する第１のオープンスタブであり、前記第２の直列共振素子は、前記逓倍用能動素子から延びる伝送線路に一端が接続され他端が開放され前記不要波の１／４波長の電気長を有する第２のオープンスタブであることを特徴とする請求項１記載の逓倍発振回路。
【請求項３】
前記並列共振回路は、前記逓倍用能動素子の伝送線路に一端が接続され他端が接地され前記基本周波数信号の周波数を整数倍した逓倍周波数にて前記第１のオープンスタブのインダクタ成分と並列共振をするコンデンサであることを特徴とする請求項２記載の逓倍発振回路。
【請求項４】
前記基本周波数発振回路は、ギガヘルツ帯域の前記基本周波数信号を発振するものであり、前記並列共振回路は、所定の寄生容量を有し前記基本周波数信号の周波数を整数倍した逓倍周波数にて前記第１のオープンスタブのインダクタ成分と並列共振をする前記伝送線路であることを特徴とする請求項２記載の逓倍発振回路。
【請求項５】
前記請求項１から４のいずれかの逓倍発振回路を含む構成を有することを特徴とする無線通信装置。
【請求項６】
アンテナに接続された送受信切換器と、該送受信切換器の送信側に接続された、送信信号を変調する前記請求項１から４のいずれかの逓倍発振回路、及び該逓倍発振回路で変調された変調信号を増幅する電力増幅器を有する送信回路と、前記送受信切換器の受信側に接続された、受信した変調信号から所望帯域の高周波変調波を選択するフィルタ、該フィルタのフィルタ出力を増幅する低雑音増幅器、及び該低雑音増幅器の増幅出力を復調する復調回路とを有する受信回路とを備えたことを特徴とする無線通信装置。
【発明の詳細な説明】
【技術分野】
【０００１】
本発明は、基本周波数発振回路から発振される基本周波数信号の発振出力を整数倍して出力する逓倍発振回路に関し、特に不要波を抑制するフィルタ回路を有する逓倍発振回路及びこれを使用した無線通信装置に関するものである。
【背景技術】
【０００２】
一般に、無線通信装置等に使用され基本周波数信号の発振出力を整数倍して出力する逓倍発振回路は、基礎となる基本周波数信号を発振した後、この基本周波数信号に含まれる高調波成分を増幅し、その後所望帯域の高調波成分を取り出す一連の動作をする逓倍回路を有している。そしてさらに、逓倍発振回路は、所望高調波成分以外の不要波（スプリアス）を抑制するフィルタ回路を有している。
【０００３】
例えば、特許文献１のマイクロ波逓倍器においては、逓倍回路１５と、当該逓倍回路１５により出力された逓倍波を所望の電力レベルまで増幅するバッファ増幅回路１６とを有している。そして、逓倍回路１５及びバッファ増幅回路１６の出力側のバイアス線路に、集中定数型ハイパスフィルタを設けて不要波を抑制している。この集中定数型ハイパスフィルタは、基本周波数信号の１／４波長の電気長を有する先端短絡スタブ２１ａ，２１ｂと逓倍回路１５の出力部に設けられたインダクタ２３ａ，２３ｂとキャパシタ２４とから構成されている。
【０００４】
しかしながら、回路の後段にこのようなスタブや集中定数形フィルタなどの付加部品或いは付加パターンを設けた逓倍発振回路は、１ＧＨｚ〜１０ＧＨｚ程度の帯域で使用した場合に挿入損失が発生する。そして、この挿入損失が大きい場合には、逓倍発振回路の出力が低下し、所望高調波成分と不要波との出力レベル差（スプリアス比）が小さくなるばかりか不要成分が含まれた出力となる。そしてさらには、位相雑音やジッタ等の信号品質劣化をも引き起こす。そのため、フィルタ回路の後段に出力の低下を補うための増幅器を別途用意しなければならず、消費電流、サイズ、コストがともに増大するという問題がある。
【０００５】
これに対して、例えば、特許文献２の逓倍器においては、基本周波数信号を整数倍する逓倍用能動素子としての電界効果トランジスタＱ１の後段に、集中定数型のコイルＬ２及びコンデンサＣ１，Ｃ２の３個の集中定数素子により構成された直並列共振回路が設けられている。この直並列共振回路は、基本周波数信号の周波数に直列共振して当該基本周波数成分を低減させるとともに、所望高調波成分の周波数に並列共振して当該所望高調波成分を通過させる。
【特許文献１】特開平１０−４３１９号公報（第２頁、図１）
【特許文献２】特開平５−１０２７２８号公報（第２頁、図１）
【発明の開示】
【発明が解決しようとする課題】
【０００６】
しかしながら、特許文献２の逓倍器に用いられているようなインダクタンス素子Ｌ２及び容量素子Ｃ１，Ｃ２からなる集中定数型の３素子による直並列共振回路だけでは、逓倍回路によって生成される高次の不要波（高次高調波成分）を抑制することができないという問題がある。また、集中定数型の３素子とはいえ、チップ部品に実装成形するにあたっては、部品ランドの大きさや部品間の実装クリアランス確保が必要となり、小型化の妨げになるという問題がある。そしてさらに、挿入損失も存在し、特許文献１で挙げた課題が依然として残る。
【０００７】
本発明は、上述のような課題を解決するためになされたもので、不要波抑制の目的で回路の後段に設置されるフィルタ回路を小さく且つ低コストで実現できる逓倍発振回路及びこれを使用した無線通信装置を提供することを目的とする。
【課題を解決するための手段】
【０００８】
〔発明１〕発明１の逓倍発振回路は、基本周波数信号を発振する基本周波数発振回路と、この基本周波数発振回路の基本周波数信号を整数倍した逓倍周波数信号を出力する逓倍用能動素子と、この逓倍用能動素子の出力側に接続され逓倍用能動素子の逓倍周波数信号から所望帯域の周波数信号を選択する逓倍用フィルタ回路とを有する逓倍発振回路であって、逓倍用フィルタ回路は、基本周波数信号の周波数にて直列共振する分布定数型の第１の直列共振素子と、基本周波数信号の周波数を整数倍した逓倍周波数にて並列共振する並列共振回路と、不要波の周波数にて直列共振する分布定数型の第２の直列共振素子とを含む。
【０００９】
この発明１においては、基本周波数信号は分布定数型の第１の直列共振素子の直列共振現象によって減衰し、不要波は分布定数型の第２の直列共振素子の直列共振現象によって減衰する。一方、所望帯域の周波数信号は、並列共振回路の並列共振現象によって選択的に逓倍用フィルタ回路を通過する。そして、第１，第２の直列共振素子は分布定数型に形成されるので、比較的簡単な構成で逓倍用フィルタ回路を形成することができ、逓倍用フィルタ回路を小さく且つ低コストで実現することができるので、この逓倍用フィルタ回路を有する逓倍発振回路を小さく且つ低コストで作製することができる。
〔発明２〕また、発明２の逓倍発振回路においては、第１の直列共振素子は、逓倍用能動素子から延びる伝送線路に一端が接続され他端が開放され基本周波数信号の１／４波長の電気長を有する第１のオープンスタブであり、第２の直列共振素子は、逓倍用能動素子から延びる伝送線路に一端が接続され他端が開放され不要波の１／４波長の電気長を有する第２のオープンスタブである。そのため、比較的簡単な構成で逓倍用フィルタ回路を形成することができ、例えば、基板上にマイクロストリップラインにて形成することができる。そのため、逓倍用フィルタ回路を且つ低コストで実現することができる。
〔発明３〕さらに、発明３の逓倍発振回路においては、並列共振回路は、逓倍用能動素子の伝送線路に一端が接続され他端が接地され基本周波数信号の周波数を整数倍した逓倍周波数にて第１のオープンスタブのインダクタ成分と並列共振をするコンデンサである。そのため、第１のオープンスタブのインダクタ成分と並列共振するための容量の設定等を容易にすることができ、設計コストが低減するとともに、所望帯域の周波数信号の通過を正確に実現することができ、信頼性の高い逓倍用フィルタ回路とすることができる。
〔発明４〕さらにまた、発明４の逓倍発振回路においては、基本周波数発振回路は、ギガヘルツ帯域の基本周波数信号を発振するものであり、並列共振回路は、所定の寄生容量を有し基本周波数信号の周波数を整数倍した逓倍周波数にて第１のオープンスタブのインダクタ成分と並列共振をする伝送線路である。そのため、部品点数が低減するとともに逓倍用フィルタ回路の構成が簡略化され、逓倍用フィルタ回路を小さく且つ低コストで実現することができ、この逓倍用フィルタ回路を有する逓倍発振回路を小さく且つ低コストで作製することができる。
〔発明５〕また、発明５の無線通信装置は、上述の〔発明１〕から〔発明４〕のいずれかの逓倍発振回路を含む。
【００１０】
この発明５においては、無線通信装置が小さく且つ低コストの逓倍発振回路を使用して構成されているので、当該無線通信装置自身も小さく且つ低コストにすることができる。
〔発明６〕さらに、発明６の無線通信装置は、アンテナに接続された送受信切換器と、送受信切換器の送信側に接続された、送信信号を変調する上述の〔発明１〕から〔発明４〕のいずれかの逓倍発振回路、及びこの逓倍発振回路で変調された変調信号を増幅する電力増幅器を有する送信回路と、送受信切換器の受信側に接続された、受信した変調信号から所望帯域の高周波変調波を選択するフィルタ、このフィルタのフィルタ出力を増幅する低雑音増幅器、及びこの低雑音増幅器の増幅出力を復調する復調回路とを有する受信回路とを備えている。
【００１１】
この発明６においては、無線通信装置は、送信回路で、送信信号を上述の〔発明１〕から〔発明４〕のいずれかの逓倍発振回路を使用して変調された変調信号を電力増幅器で電力増幅して送受信切換器を介してアンテナから送信し、アンテナで受信した微小な受信信号は、送受信切換器を介して受信回路に送られて、フィルタで所望帯域の高周波変調波が抽出され、抽出された高周波変調波が低雑音増幅器で増幅されて復調回路で復調されるので、直接発振方式を使用して、簡易な無線通信装置を提供することができる。
【発明を実施するための最良の形態】
【００１２】
以下、本発明の実施の形態を図面に基づいて説明する。
図１は本発明の逓倍発振回路の第１の実施形態を示すブロック図である。図１において、逓倍発振回路１は、基本周波数信号の整数倍の逓倍周波数信号を出力する逓倍発振回路本体２と、この逓倍発振回路本体２の出力側に接続され逓倍発振回路本体２の出力する逓倍周波数信号から所望帯域の周波数信号を選択する逓倍用フィルタ回路３とを備えている。
【００１３】
逓倍発振回路本体２は、基本周波数発振回路としての電圧制御型発振器４と、第１の整合回路としての基本周波数整合回路５と、逓倍用能動素子６と、第２の整合回路としての逓倍周波数整合回路７とを有している。
逓倍発振回路本体２の構成をさらに詳細に説明する。電圧制御型発振器４は、所定の周波数の基本周波数信号を発振する。電圧制御型発振器４から発振された基本周波数信号は、基本周波数整合回路５に供給されて基本周波数にインピーダンス整合される。そして、基本周波数整合回路５から出力される整合出力は、逓倍用能動素子６によって、基本周波数の整数倍に逓倍される。さらに逓倍用能動素子６によって逓倍された周波数信号は、逓倍周波数整合回路７に供給されて基本周波数の整数倍の逓倍周波数にインピーダンス整合される。
【００１４】
逓倍発振回路本体２の構成のうち、まず、電圧制御型発振器４について説明する。図２は図１の電圧制御型発振器４の詳細を示すブロック図である。図２において、電圧制御型発振器４は、発振用増幅器４１を有し、さらにこの発振用増幅器４１の出力側及び入力側間の帰還回路に、分配器４３と、周波数調整回路４６と、弾性表面波共振子４７とを有している。発振用増幅器４１から出力された電力は分配器４３で２系統に分配される。そして、一方の分配出力は出力端子４２に出力され、他方の分配出力は、周波数調整回路４６を介して弾性表面波共振子４７に帰還する。周波数調整回路４６は、移相器４４と位相調整回路４５とで構成されている。
【００１５】
次に、逓倍用能動素子６について説明する。図示しないが、基本周波数整合回路５から出力される整合出力を基本周波数の整数倍に逓倍する逓倍用能動素子６には、例えばバイポーラトランジスタが用いられる。
次に、逓倍用フィルタ回路３について説明する。
図３は逓倍用フィルタ回路３の詳細を示す回路図である。図３において、逓倍用フィルタ回路３は、入力端子３１（逓倍発振回路本体２の出力端子でもある）から逓倍発振回路１の出力端子３２に延びる出力伝送線路（伝送線路）３３を有している。そしてさらに、この出力伝送線路３３に接続された第１の直列共振素子としての第１のオープンスタブ３４と、並列共振回路としてのコンデンサ３５と、第２の直列共振素子としての第２のオープンスタブ３６とを有している。
【００１６】
第１のオープンスタブ３４は、出力伝送線路３３の中間部で入力端子３１側に一端が接続され他端が開放され基本周波数信号の１／４波長の電気長を有している。第２のオープンスタブ３６は、出力伝送線路３３の中間部で出力端子３２側に一端が接続され他端が開放され不要波の１／４波長の電気長を有している。
図４は第１のオープンスタブ３４の動作を説明する説明図である。図４は動作説明のための図であって必ずしも本実施形態を示すものではない。オープンスタブ３４は、例えば基板３８上にマイクロストリップラインにて形成され分布定数型回路構成とされている。オープンスタブ３４は先端が開放されているので先端において電圧振幅が最大になる。また、オープンスタブ３４は、上述のように中心周波数において抑制したい周波数信号の１／４波長の電気長となるように設定されているので、スタブ３４の先端とその付け根では位相が９０度違うこととなる。そして、先端で電圧振幅が最大になるので付け根では電圧振幅が０になる。そのため、抑制したい基本周波数信号（ｆ１）に対してスタブ３４の付け根があたかもＧＮＤのように振る舞い、基本周波数信号（ｆ１）の通過が抑制される。第２のオープンスタブ３６においては、電気長が不要波の１／４波長とされている他は、第１のオープンスタブ３４と同様の分布定数型回路構成とされている。
【００１７】
図に示さないが、コンデンサ３５は、例えば基板上にチップコンデンサとして実装される。コンデンサ３５は、オープンスタブ３４，３６の間にて出力伝送線路３３に一端が接続され他端が接地されて設けられている（図３）。そして、コンデンサ３５は、基本周波数信号を整数倍した所望の逓倍周波数にて第１のオープンスタブ３４のインダクタ成分と並列共振をするように設定されている。この並列共振現象によって出力伝送線路３３に逓倍周波数の出力を通過させる。
【００１８】
ここで、電圧制御型発振器４から出力される基本周波数信号の周波数（ｆ１）を２.９ＧＨｚとし、所望の逓倍周波数（ｆ２）を基本周波数（ｆ１）の２逓倍の５.８ＧＨｚとし、不要波の周波数（ｆ３）を基本周波数（ｆ１）の３逓倍の８.７ＧＨｚとした場合、具体的な設計寸法及び回路定数は例えば次のようになる。
基板厚み：０．５ｍｍ
基板誘電率：１０
誘電体損：０．４％
第１のオープンスタブ３４の寸法：幅０.４ｍｍ、長さ９．８５ｍｍ
コンデンサ３５の容量値：０．４ｐＦ
第二のオープンスタブ３５の寸法：幅０.４ｍｍ、長さ３．１ｍｍ
図５は上述した具体的構成例のフィルタ回路の通過特性図である。横軸は周波数［ＧＨｚ］、縦軸は挿入損失［ｄＢ］を示している。図５に示すように、まず基本周波数（ｆ１）となる２.９ＧＨｚ（図５中点Ａ）で十分な減衰特性を有している。これは、第１のオープンスタブ３４による効果である。より詳しくは、第１のオープンスタブ３４のインダクタ成分Ｌｓとコンデンサ成分Ｃｓによる直列共振現象によってきまる周波数（ｆｓ）が基本周波数信号（ｆ１）と一致しているためである。すなわち、第１のオープンスタブ３４は、基本周波数（ｆ１）にて直列共振し、基本周波数信号（ｆ１）の通過を抑制する。このｆｓは次式で表される。
【００１９】
【数１】
2005136836.tif 000003
【００２０】
また、所望の逓倍周波数（ｆ２）となる５.８ＧＨｚ（図５中点Ｂ）では、減衰量はほぼゼロとなり、フィルタ回路は基本周波数信号（ｆ１）の２逓倍周波数成分を通過させる。これは、第１のオープンスタブ３４のコンデンサ成分Ｃｓと、一端が接地されたコンデンサ３５のＣｐとの並列共振現象によってきまる周波数（ｆｐ）が２逓倍周波数成分（ｆ２）と一致しているためである。このｆｐは次式で表される。
【００２１】
【数２】
2005136836.tif 000004
【００２２】
さらに、不要波の周波数（ｆ３）である３次高調波周波数８.７ＧＨｚ（図５中点Ｃ）では、ｆ１と同様に十分な減衰特性が現れている。これは、第２のオープンスタブ３６による効果であり、動作は第１のオープンスタブ３４と同様である。
図６は逓倍用フィルタ回路を逓倍発振回路本体２に接続しない場合の出力スペクトル図であり、図７は上述のような減衰特性をもつ逓倍用フィルタ回路３を逓倍発振回路本体２に接続した場合の出力スペクトル図である。横軸は周波数［ＧＨｚ］、縦軸は逓倍発信器の出力パワー［ｄＢｍ］を示している。
【００２３】
逓倍用フィルタ回路３を接続しない場合、図６に示すように、２逓倍周波数である５．８ＧＨｚが最も出力パワーが大きく主たるスペクトル成分を占めているものの、逓倍用トランジスタによって生成された２.９ＧＨｚの３次以上の高調波である８．７ＧＨｚ、１１．６ＧＨｚのスペクトル成分もかなりの割合で出力されており十分に不要波（スプリアス）の抑制が出来ていない。
【００２４】
これに対し、本実施形態のように発明のフィルタ回路３を付加した場合は、図７に示すように、５．８ＧＨｚに隣接する基本周波数（２.９ＧＨｚ）及び高次高調波成分（８．７ＧＨｚ）は十分に抑制されている。
このような構成の逓倍発振回路１においては、基本周波数信号（ｆ１）を発振する電圧制御型発振器４と、基本周波数信号（ｆ１）を整数倍した逓倍周波数信号を出力する逓倍用能動素子６と、所望帯域の周波数信号を選択する逓倍用フィルタ回路３とを有する逓倍発振回路であって、逓倍用フィルタ回路３は、基本周波数信号の周波数にて直列共振する一端が出力伝送線路３３に接続され他端が開放され基本周波数信号（ｆ１）の１／４波長の電気長を有する第１のオープンスタブ３４と、一端が出力伝送線路３３に接続され他端が接地され基本周波数信号（ｆ１）を整数倍した逓倍周波数（ｆ２）にて第１のオープンスタブ３４のインダクタ成分と並列共振をするコンデンサ３５と、一端が出力伝送線路３３に接続され他端が開放され不要波（ｆ３）の１／４波長の電気長を有する第２のオープンスタブ３６を有しているので、所望帯域の周波数信号の以外の不要波（スプリアス）を十分に抑制・低減することができる。
【００２５】
また、一例として示したように、逓倍用フィルタ回路３は、分布定数型回路構成のパターン素子（マイクロストリップライン）と１個のチップコンデンサによってシンプルに構成することができ、小型で省スペースなフィルタ回路とすることができ、低コスト化を実現することができる。さらには、挿入損失が小さく減衰特性も優れるので、逓倍発振回路の出力が低下せず、位相雑音やジッタ等の信号品質劣化をまねくこともない。
【００２６】
また、本実施形態においては、所望の逓倍周波数（ｆ２）が基本周波数（ｆ１）の２逓倍であり、不要波の周波数（ｆ３）が基本周波数（ｆ１）の３逓倍であるので、設計寸法及び回路定数の選定を容易に行うことができる。これ以外の逓倍数をもつ逓倍発振回路、例えば、４逓倍発振回路や６逓倍発振回路などにおいても同様である。
また、このような構成の逓倍発振回路１は、基本周波数整合回路５で逓倍用能動素子６の入力側を電圧制御型発振器４から出力される発振信号を基本周波数信号に整合し、整合された発振出力を逓倍用能動素子６で周波数を整数倍に逓倍した後、逓倍周波数整合回路７で基本周波数の整数倍の逓倍周波数に整合させるので、逓倍用能動素子６の入力側では基本周波数信号に最も適したインピーダンスで電圧制御型発振器４に接続され、効率よく逓倍用能動素子６にパワーが伝達され、また、逓倍用能動素子６の出力側では、基本周波数の整数倍の周波数に整合されたインピーダンスで後段の回路に接続されて、所望の逓倍周波数で最小の損失で効率よく取り出すことができる。このため、周波数逓倍に伴う変換損失が最小となり、全体として低消費電流化が可能となると共に、部品点数が削減され、回路サイズの小型化を図ることができる。
【００２７】
なお、上記第１の実施形態においては、基本周波数発振回路として電圧制御型発振器４を適用した場合について説明したが、これに限定されるものではなく、固定周波数発振器としたものや、水晶発振器等の他の基本周波数発振回路を適用することができる。
また、上記第１の実施形態では、逓倍用能動素子６として例えばバイポーラトランジスタを適用すると説明したが、これに限定されるものではなく、バイポーラトランジスタに代えてＧａＡｓの電界効果型トランジスタを適用するようにしてもよく、他の能動素子を適用するようにしてもよい。
【００２８】
次に、第２の実施形態について説明する。
図８は本発明の逓倍発振回路の第２の実施形態における逓倍用フィルタ回路の詳細を示す回路図である。図８において、本実施形態の逓倍用フィルタ回路８は、第１の実施形態の逓倍用フィルタ回路３のコンデンサ３５に相当するものが削除されている。その他の構成は、第１の実施形態の逓倍用フィルタ回路３と同じである。本実施形態の基本周波数発振回路としての電圧制御型発振器４は、１ＧＨｚ〜１０ＧＨｚ程度の帯域の基本周波数信号を発振する。第１の実施形態の逓倍用フィルタ回路３をこのようなギガヘルツ帯域で使用する逓倍発振回路に用いた場合、コンデンサ３５の容量値は非常に小さくなり、出力伝送線路３３の寄生容量のレベルとなる。このため、コンデンサ３５を省略することができる。すなわち、出力伝送線路３３は所定の寄生容量を有ており、基本周波数信号を整数倍した所望の逓倍周波数にて第１のオープンスタブ３４のインダクタ成分と並列共振し、この並列共振現象によって出力伝送線路３３に所望の逓倍周波数の出力を通過させる。
【００２９】
図９は本実施形態の逓倍用フィルタ回路８の通過特性図である。図５と同様に横軸は周波数［ＧＨｚ］、縦軸は挿入損失［ｄＢ］を示している。図９において、２逓倍周波数である５．８ＧＨｚ（図９中点Ｅ）で、２．５ｄＢの挿入損失が生じているものの、第１の実施形態と同様、基本周波数である２．９ＧＨｚ（図９中点Ｄ）と不要波の周波数８．７ＧＨｚ（図９中点Ｆ）では十分な減衰特性を有している。そのため、本実施形態の逓倍用フィルタ回路８を逓倍発振回路本体２に接続した場合も第１の実施形態同様、良好な出力スペクトルを得ることができる。
【００３０】
このような構成の逓倍発振回路１においては、逓倍用フィルタ回路８は、基本周波数信号の周波数にて直列共振する一端が出力伝送線路３３に接続され他端が開放され基本周波数信号（ｆ１）の１／４波長の電気長を有する第１のオープンスタブ３４と、不要波（ｆ３）の周波数にて直列共振する一端が出力伝送線路３３に接続され他端が開放され不要波（ｆ３）の１／４波長の電気長を有する第２のオープンスタブ３６を有しているので、所望帯域の周波数信号の以外の不要波（スプリアス）を、第１の実施形態よりさらに簡単な構成で抑制・低減することができる。また、逓倍用フィルタ回路８は、分布定数型回路構成のパターン素子（マイクロストリップライン）のみによって構成することができ、さらに小型で省スペースなフィルタ回路とすることができ、さらなる低コスト化も実現することができる。
【００３１】
次に、本発明の第３の実施形態について説明する。
本実施の形態は、送信側で電圧制御型発振器に直接送信信号を入力して直接変調を行う直接変調方式に本発明を適用したものである。
図１０は本発明の逓倍発振回路を使用した無線通信装置を示すブロック図である。図１０において、アンテナ９１と、これに接続された送受信切換器９２と、この送受信切換器９２の送信側に接続された送信回路９３及び受信側に接続された受信回路９４とを備えている。
【００３２】
送信回路９３は、送信信号が直接入力される前述した第１の実施形態における逓倍発振回路１に入力し、この逓倍発振回路１から出力される変調送信信号を電力増幅器９５で増幅するように構成され、電力増幅器９５から出力される送信信号が送受信切換器９２に供給される。ここで、逓倍発振回路１としては、第１の実施形態のように電圧制御によって発振周波数を可変できる電圧制御型発振器として構成する場合に限らず、単一の周波数を出力する固定発振器として構成するようにしてもよい。
【００３３】
また、受信回路９４は、送受信切換器９２から出力される受信変調波から所望帯域の高周波変調波を抽出するバンドパスフィルタ９６と、このバンドパスフィルタ９６で抽出した微小な高周波変調波を増幅する低雑音増幅器９７と、この低雑音増幅器９７の増幅出力を復調する復調回路９８とから構成されている。
この第３の実施形態によると、データを送信する場合には、送信信号を逓倍発振回路１に入力して、この逓倍発振回路１で送信信号を所定周波数に直接変調し、この直接変調信号を電力増幅器９５で増幅して、送受信切換器９２を介してアンテナ９１から送信する。
【００３４】
また、アンテナ９１で受信した微小な高周波変調波は、送受信切換器９２から受信回路９４に送られ、そのバンドパスフィルタ９６で所望周波数の高周波変調波信号が抽出され、抽出された高周波変調波信号が低雑音増幅器９７で増幅されて復調回路９８で元信号に復調されて受信信号として出力される。
この第３の実施形態は、直接変調を行う発振器として逓倍発振回路１を適用しているので、全体の構成を小型化することができると共に、低消費電力化することができる。
【図面の簡単な説明】
【００３５】
【図１】本発明の逓倍発振回路の第１の実施形態を示すブロック図。
【図２】図１の電圧制御型発振器の詳細を示すブロック図。
【図３】図１の逓倍用フィルタ回路の詳細を示す回路図。
【図４】オープンスタブの動作を説明する説明図。
【図５】第１の実施形態の逓倍用フィルタ回路の通過特性図。
【図６】逓倍用フィルタ回路を接続しない場合の出力スペクトル図。
【図７】逓倍用フィルタ回路を接続した場合の出力スペクトル図。
【図８】第２の実施形態の逓倍用フィルタ回路を示す回路図。
【図９】第２の実施形態の逓倍用フィルタ回路の通過特性図。
【図１０】本発明の逓倍発振回路を使用した無線通信装置のブロック図。
【符号の説明】
【００３６】
１…逓倍発振回路、２…逓倍発振回路本体、３…逓倍用フィルタ回路、４…電圧制御型発振器（基本周波数発振回路）、５…基本周波数整合回路（第１の整合回路）、６…逓倍用能動素子、７…逓倍周波数整合回路（第２の整合回路）、３３…出力伝送線路（伝送線路）、３４…第１のオープンスタブ（第１の直列共振素子）、３５…コンデンサ（並列共振回路）、３６…第２のオープンスタブ（第２の直列共振素子）、９１…アンテナ、９２…送受信切換器、９３…送信回路、９４…受信回路、９５…電力増幅器、９６…バンドパスフィルタ（フィルタ）、９７…低雑音増幅器、９８…復調回路。
【図１】
2005136836.tif 000005
【図２】
2005136836.tif 000006
【図３】
2005136836.tif 000007
【図４】
2005136836.tif 000008
【図５】
2005136836.tif 000009
【図６】
2005136836.tif 000010
【図７】
2005136836.tif 000011
【図８】
2005136836.tif 000012
【図９】
2005136836.tif 000013
【図１０】
2005136836.tif 000014